(57)【要約】【課題】収納物を収納する際に、その収納物を収納すべき引き出しを短時間で特定でき、誤った引き出しへの薬品の収納を防止できる安価な収納装置を提供する。【解決手段】本発明の収納装置は、格子状に配置されそれぞれ固有の識別子を対応付けた複数の引き出しと、前記引き出しをそれぞれロック及びロック解除するロック部と、ロックを解除された前記引き出しの位置を表示する表示部と、を有する収納体と、前記引き出しの前記識別子を入力する入力部と、それぞれの前記識別子とそれに対応付けた前記引き出しの位置とを記憶し、前記ロック部に前記入力部から入力された前記識別子に対応付けた前記引き出しのロックを解除させ且つその引き出し以外の引き出しをロックし、前記表示部にその引き出しの位置を表示させる制御部と、を有する。【選択図】        図１
2004256242.tif 000002
【特許請求の範囲】
【請求項１】
格子状に配置されそれぞれ固有の識別子を対応付けた複数の引き出しと、前記引き出しをそれぞれロック及びロック解除するロック部と、ロックを解除された前記引き出しの位置を表示する表示部と、を有する収納体と、
前記引き出しの前記識別子を入力する入力部と、
それぞれの前記識別子とそれに対応付けた前記引き出しの位置とを記憶し、前記ロック部に前記入力部から入力された前記識別子に対応付けた前記引き出しのロックを解除させ且つその引き出し以外の引き出しをロックし、前記表示部にその引き出しの位置を表示させる制御部と、
を有することを特徴とする収納装置。
【請求項２】
前記ロック部は、前記引き出しの並びのそれぞれの行に配置された行方向可動部及び行ロック駆動部と、前記引き出しの並びのそれぞれの列に配置された列方向可動部及び列ロック駆動部と、を有し、
前記行ロック駆動部は、前記制御部からの指令に応じて前記行方向可動部を行方向に動かし、
前記列ロック駆動部は、前記制御部からの指令に応じて前記列方向可動部を列方向に動かし、
１つの前記行方向可動部及び１つの前記列方向可動部を動作させると、１つの前記行方向可動部と１つの前記列方向可動部とが重なる部分に位置する前記引き出しのロックが解除され、ロックが解除された前記引き出し以外の前記引き出しはロックされることを特徴とする請求項１に記載の収納装置。
【請求項３】
前記表示部は、ロックが解除された前記引き出しの行方向の位置を示す行表示部と、ロックが解除された前記引き出しの列方向の位置を示す列表示部と、を有することを特徴とする請求項１又は請求項２に記載の収納装置。
【請求項４】
前記入力部が、識別子を示すバーコードを読み取るバーコードリーダ、識別子を示すカラーコードを読み取るカラーコードリーダ、又は識別子を記憶するＩＣタグから識別子を読み取るＩＣタグリーダであることを特徴とする請求項１から請求項３のいずれかの請求項に記載の収納装置。
【請求項５】
薬品収納装置であることを特徴とする請求項１から請求項４のいずれかの請求項に記載の収納装置。
【発明の詳細な説明】
【０００１】
【発明の属する技術分野】
本発明は、収納装置に関する。
【０００２】
【従来の技術】
例えば病院の薬剤部などには、収納装置の１種である薬品収納装置が導入されている。薬品収納装置は、薬品を種類毎に１つ１つの引き出しに入れて収納し、注射処方データに基づいて薬品をピッキングして払い出しを行う装置である。引き出し内の薬品が不足したときには、薬剤師などがその引き出しに薬品の補充作業を行う。
特開２００２−２０５８０５号公報に、従来例１のドラム型アンプル払出装置が記載されている。従来例１のドラム型アンプル払出装置には、複数の薬剤フィーダが付いており、それぞれに薬剤が保管されている。薬剤の数量が所定量以下になると、ユーザに薬剤の補給を促す。ユーザが準備した薬剤のバーコード表示を読み取り、補給すべき薬剤のバーコードと照合する。両者が一致した場合に、該当薬剤フィーダを補給位置に回転させ、ロックを解除する。
【０００３】
特開２００１−２５８９９６号公報に、従来例２の医薬品収納装置が記載されている。従来例２の医薬品収納装置は複数のトレーを有し、トレーは複数のカセットを有している。医薬品はカセットの中に収容されている。医薬品を追加収納する際には、医薬品に添付されたバーコードを読み取り、収容すべきカセットが含まれるトレーが収納装置のどこにあるのかを特定するので、薬品の収納場所がおおよそ分かる。
【０００４】
【特許文献１】
特開２００２−２０５８０５号公報
【特許文献２】
特開２００１−２５８９９６号公報
【０００５】
【発明が解決しようとする課題】
例えば薬品収納装置に収納される薬品の種類は約１００〜１５０に上り、それぞれの薬品を収納するための引き出しの数は約１５０〜３００にもなる。このような収納装置において、収納物（例えば薬品）が不足したり欠品して、その収納物を補充する場合には、補充する薬品の名前又は番号を多数の引き出しの中から目視で探し出さなくてはならない。補充作業に時間がかかり、よく似た名前の薬品があると誤った引き出しに薬品を補充をする危険性もあった。
【０００６】
従来例１のドラム型アンプル払出装置は、個々の引き出し（薬剤フィーダ）に、表示ランプと引き出しをロックするための機構とが組み込まれている。引き出しは抜き差しにより移動するうえ、引き出し内の薬品が漏れだした場合の漏電対策も必要であった。従来例１のドラム型アンプル払出装置は、多くの配線を必要とし高価であった。
従来例２の医薬品収納装置では、薬品の収納位置をおおよそにしか把握できず、誤ったトレーに薬品を収納する可能性を完全には排除できなかった。
【０００７】
本発明は上記従来の課題を解決するもので、収納物（例えば薬品）を収納する（又は取り出す）際に、その収納物を収納すべき（又は取り出すべき）引き出しを短時間で特定でき、誤った引き出しへの薬品の収納（又は取り出し）を防止できる収納装置を提供することを目的とする。
本発明は、収納物（例えば薬品）を収納する（又は取り出す）際に、その収納物を収納すべき（又は取り出すべき）引き出しを短時間で特定でき、誤った引き出しへの薬品の収納（又は取り出し）を防止できる安価な収納装置を提供することを目的とする。
【０００８】
【課題を解決するための手段】
上記課題を解決するため、本発明は以下の構成を有する。請求項１に記載の発明は、格子状に配置されそれぞれ固有の識別子を対応付けた複数の引き出しと、前記引き出しをそれぞれロック及びロック解除するロック部と、ロックを解除された前記引き出しの位置を表示する表示部と、を有する収納体と、前記引き出しの前記識別子を入力する入力部と、それぞれの前記識別子とそれに対応付けた前記引き出しの位置とを記憶し、前記ロック部に前記入力部から入力された前記識別子に対応付けた前記引き出しのロックを解除させ且つその引き出し以外の引き出しをロックし、前記表示部にその引き出しの位置を表示させる制御部と、を有することを特徴とする収納装置である。
【０００９】
本発明の収納装置は、入力された固有識別子に対応する引き出しのみのロックを解除し且つ表示部（例えば可視発光ダイオード（ＬＥＤ））を用いてその引き出し（ロックが解除された引き出し）を示し、それ以外の引き出しをロックする。
本発明は、収納物（例えば薬品）を収納する（又は取り出す）際に、その収納物を収納すべき（又は取り出すべき）引き出しを短時間で特定でき、誤った引き出しへの収納物（例えば薬品）の収納（又は取り出し）を防止できる収納装置を実現する。
【００１０】
請求項２に記載の発明は、前記ロック部は、前記引き出しの並びのそれぞれの行に配置された行方向可動部及び行ロック駆動部と、前記引き出しの並びのそれぞれの列に配置された列方向可動部及び列ロック駆動部と、を有し、前記行ロック駆動部は、前記制御部からの指令に応じて前記行方向可動部を行方向に動かし、前記列ロック駆動部は、前記制御部からの指令に応じて前記列方向可動部を列方向に動かし、１つの前記行方向可動部及び１つの前記列方向可動部を動作させると、１つの前記行方向可動部と１つの前記列方向可動部とが重なる部分に位置する前記引き出しのロックが解除され、ロックが解除された前記引き出し以外の前記引き出しはロックされることを特徴とする請求項１に記載の収納装置である。
【００１１】
それぞれの引き出しをロックするための行方向可動部及び列方向可動部を、引き出しの並びの行毎と列毎とに設置する。１つの行の行方向可動部と１つの列の列方向可動部を動かすことで、その行と列が交わる所に位置する引き出しのロックが解除される。引き出し毎にロックのための電気的動作部品を取り付ける方法に比べ、配線を簡素化できる。本発明は安価な収納装置を実現する。
【００１２】
請求項３に記載の発明は、前記表示部は、ロックが解除された前記引き出しの行方向の位置を示す行表示部と、ロックが解除された前記引き出しの列方向の位置を示す列表示部と、を有することを特徴とする請求項１又は請求項２に記載の収納装置である。
本発明においては、行表示及び列表示でロックが解除された引き出しの位置を表示する。各引き出しに表示ランプを取り付け各表示ランプに配線した従来例の表示方法と比較して、表示ランプの数を減らし、配線を簡素化できる。本発明は、ロックを解除された引き出しを特定して表示する安価な収納装置を実現する。
【００１３】
請求項４に記載の発明は、前記入力部が、識別子を示すバーコードを読み取るバーコードリーダ、識別子を示すカラーコードを読み取るカラーコードリーダ、又は識別子を記憶するＩＣタグから識別子を読み取るＩＣタグリーダであることを特徴とする請求項１から請求項３のいずれかの請求項に記載の収納装置である。
【００１４】
本発明は、バーコードリーダ、カラーコードリーダ、又はＩＣタグリーダが読み取った識別子からロックを解除する引き出しを特定する。ロックを解除する引き出しの特定から、その引き出しのロック解除に至るまで、全て自動的に実行する故、誤った引き出しに収納物を収納する（又は取り出す）事故を防止できる。
例えば薬品収納装置においては、識別子は、例えば薬品を特定するための薬品名、固有番号などの情報を含む。バーコードを印刷したラベル、カラーコードを印刷したラベル、又はＩＣタグが予め例えば薬品が入った容器、患者のレシピ等に添付されている。制御部は、バーコードリーダ、カラーコードリーダ、又はＩＣタグリーダが読み取った識別子から、その識別子に対応付けられた収納物（例えば薬品）を収納すべき（又は取り出すべき）引き出しの位置を特定する。
【００１５】
請求項５に記載の発明は、薬品収納装置であることを特徴とする請求項１から請求項４のいずれかの請求項に記載の収納装置である。
本発明は、薬品を収納する（又は取り出す）際に、その薬品を収納すべき（又は取り出すべき）引き出しを短時間で特定でき、誤った引き出しへの薬品の収納（又は取り出し）を防止できる安価な薬品収納装置を実現できるという作用を有する。
【００１６】
【発明の実施の形態】
以下本発明の実施をするための最良の形態を具体的に示した実施の形態について、図面とともに記載する。
【００１７】
《実施の形態》
図１及び図２を用いて、本発明の実施の形態の薬品収納装置を説明する。図１は、本発明の実施の形態の薬品収納装置の構成を示す図である。１００は薬品収納装置である。薬品収納装置１００は、薬品収納体１０１、制御部１０７、バーコードリーダ（入力部の一部）１０８を有する。薬品収納体１０１は、格子状に配列された引き出し１０２、行ロック駆動部１０３、列ロック駆動部１０４、行表示部１０５、列表示部１０６、行ロックスライド板２０１（行方向可動部）及び列ロックスライド板（列方向可動部）２０２を有する。薬品収納体１０１の各行には、行ロック駆動部１０３、行ロックスライド板２０１及び行表示部１０５が１つずつ配置されている。薬品収納体１０１の各列には、列ロック駆動部１０４、列ロックスライド板２０２及び列表示部１０６が配置されている。行表示部１０５及び列表示部１０６は、赤色ＬＥＤ（Ｌｉｇｈｔ  Ｅｍｉｔｔｉｎｇ  Ｄｉｏｄｅ）である。
１０９は薬品の容器である。薬品の容器１０９には識別コード（識別子。実施の形態においてはバーコード）１１０が添付されている。
【００１８】
各引き出し１０２は、異なる種類の薬品を収納する。ユーザ（例えば病院の薬剤師）は、例えば購入して引き出しに収納する薬品の容器１０９に貼り付けてある識別コード１１０をバーコードリーダ１０８で読み込む。ユーザは、例えば患者の電子レシピ（電子ファイル）に含まれる患者に渡す薬品の識別コードを入力部に入力する。又はユーザは、紙のレシピに貼り付けたバーコード（患者に渡す薬品の識別コードを表示する。）をバーコードリーダ１０８で読み込む。ユーザがキーボード（入力部に含まれる。図示しない。）で薬品の識別コードを入力しても良い。
薬品１０９の識別コード（識別子）１１０は、実施の形態においてはバーコード（２次元バーコードであっても良い。）である。バーコードを印刷したラベルが予め薬品１０９の容器又は紙のレシピに貼り付けられている。バーコード及びバーコードリーダ１０８に代えて、カラーコード及びカラーコードリーダ、又はＩＣタグ及びＩＣタグリーダ等を用いても良い。
【００１９】
制御部１０７は、予め識別コード１１０と薬品名、薬品が収納されている引き出し１０２の位置の対応表を記憶している。制御部１０７は、入力された識別コードと、対応表とに基づいて、識別コードに対応付けられた引き出し１０２（識別コードに対応付けられた薬品を収納する。）が位置する行及び列を特定する。
制御部１０７は、特定された行に対応する行ロック駆動部１０３を動作させ、その行の行表示部１０５を発光させる。行ロック駆動部１０３は、その行の行ロックスライド板２０１を行方向に動かす。制御部１０７は、特定された列に対応する列ロック駆動部１０４を列方向に動作させ、その列の列表示部１０６を発光させる。列ロック駆動部１０４は、その列の列ロックスライド板２０２を動かす。それ以外の行ロック駆動部１０３及び列ロック駆動部１０４は動作しない。それ以外の行表示部１０５及び列表示部１０６は消灯する。動かされた行ロックスライド板２０１と列ロックスライド板２０２とが重なる部分に位置する引き出し１０２のロックが解除される（それ以外の引き出しはロックした状態に保つ。）。ユーザは、行表示部１０５及び列表示部１０６の表示に基づいてロックが解除された引き出しを視覚的に認識する。ユーザは、ロックが解除された引き出しを取り出し、薬品の補充又は取り出しを行う。
【００２０】
図２（ａ）は本発明の実施の形態の薬品収納装置のロック機構の構造を示す薬品収納装置の前面から見た外観図（ロック機構の一部（２行２列）のみを示す。）、（ｂ）は本発明の実施の形態の薬品収納装置のロック機構の構造を示す薬品収納装置の側面から見た外観図（ロック機構の一部（２列）のみを示す。）である。図２において薬品収納体１０１のフレームの記載を省略しており、図２（ａ）において引き出し１０２の記載を省略している。
引き出し１０２の背面に、各行及び各列に互いに交差するように、行ロックスライド板（行方向可動部）２０１及び列ロックスライド板（列方向可動部）２０２が配置されている。行ロックスライド板２０１及び列ロックスライド板２０２の端は、行ロック駆動部１０３及び列ロック駆動部１０４にそれぞれ接続している（図１参照）。行ロック駆動部１０３及び列ロック駆動部１０４は電磁ソレノイドである。制御部１０７の指令に基づいて行ロック駆動部１０３及び列ロック駆動部１０４を電気的に動作させると、行ロックスライド板２０１及び列ロックスライド板２０６は、行スライド方向２０６及び列スライド方向２０７にそれぞれ動く。
【００２１】
行ロックスライド板２０１には、引き出しの行方向の間隔と同じ間隔で二等辺三角形の形状の行ロック穴２０３が開いている。列ロックスライド板２０２には、引き出しの列方向の間隔と同じ間隔で、行ロック穴２０３を９０度回転させた形状の列ロック穴２０４が開いている。
【００２２】
各引き出し１０２の背面には、引き出し抜き方向２０８と平行に引き出しロック棒２０５が取り付けてある。引き出しロック棒２０５は、列ロック穴２０４と行ロック穴２０３とを貫通している。引き出しロック棒２０５の後方先端には引き出しロック板２０９が付いている。引き出しロック板２０９の形状は薄い円筒形である。その円筒形の円の直径は、行ロック穴２０３と列ロック穴２０４の重心が重なったときの両者の重なり部分に描きうる最大の円の直径と同一であり又はそれよりわずかに小さい。行ロック駆動部１０３が行ロックスライド板２０１を動かすと、薬品収納装置１００の前から見て、引き出しロック板２０９が行ロック穴２０３に内接する（又は行ロック穴２０３の内接円に含まれる。）。列ロック駆動部１０４が列ロックスライド板２０２を動かすと、薬品収納装置１００の前から見て、引き出しロック板２０９が列ロック穴２０４に内接する（又は列ロック穴２０４の内接円に含まれる。）。行ロックスライド板２０１及び列ロックスライド板２０２が動いていない状態では、引き出しロック板２０９の一部が行ロック穴２０３及び列ロック穴２０４からはみ出す。
【００２３】
行ロックスライド板２０１と列ロックスライド板２０２とをそれぞれ１枚動かすと、１つの引き出し１０２のみがロックを解除される。ユーザはその引き出し１０２を手前に引き出すことができる。このとき、他の引き出し１０２は、引き出しロック板２０９が行ロック穴２０３と列ロック穴２０４との重なり部分を通り抜けることができないので、引き出せない（ロックされる）。引き出しロック棒２０５は、行ロック穴２０３と列ロック穴２０４の重なり部分の形状がどのような状態でも、その重なり部分を通り抜けることができる程度に細い。
【００２４】
薬品収納装置１００は管理装置（図示しない）と接続している。管理装置は薬品収納装置１００の薬品の個数を管理しており、補充するべき薬品の種類と個数のリストを出力できる。薬剤師はリストに基づいて薬品を購入し、以下の手順で補充作業を行う。
まず始めに薬剤師は、バーコードリーダ１０８で薬品１０９に添付されている識別コード１１０（バーコード）を読み取る。制御部１０７は、対応表から薬品１０９が収納されるべき引き出し１０２を特定し、行表示部１０５、列表示部１０６の該当する行と列のランプを点灯させる。次に、該当する行ロック駆動部１０３及び列ロック駆動部１０４を駆動し、行ロックスライド板２０１及び列ロックスライド板２０２を動かし、該当する引き出しのロックを解除する。
【００２５】
薬剤師は、ランプが点灯している行と列の交差点を目視で確認し、その場所の引き出しを開けて薬品を補給する。このとき、他の引き出しはロックされており開かないので、誤って別の引き出しに薬品を補充する危険性がない。また、該当する引き出しを簡単に見つけられる。
ロック及び表示のための配線を全ての引き出しに対して行う必要がないので、従来に比べて製造コストを低く抑えることができる。
【００２６】
引き出し１０２の位置表示は発光素子（例えばＬＥＤ）による点滅であっても良い。また、行表示部１０５及び列表示部１０６は、好ましくは引き出しの周辺部に設置する。それ以外の場所に設置しても良い。例えば、引き出しの並びの中心部に十時状に設置しても良い。
【００２７】
ロック機構の構造は、図２に示した構造に限らない。引き出しの並びの各行及び各列に取り付けた可動部が、それぞれの引き出しの背面で交差し、特定の引き出しだけロック解除できるように動作すれば良い。行ロック駆動部１０３及び列ロック駆動部１０４は、電気的に動作する駆動部品（例えば、モータ）であれば良い。行スライド方向２０６及び列スライド方向２０７は図２と逆方向に動かされても良い。
薬剤師は、管理装置によって出力されるリストによらず、任意の薬品１０９を任意のタイミングで補充することもできる。
引き出しを前方向（収納装置の取り出し側）に付勢するバネを有し、ロックが解除された引き出しが、前記バネにより前方向に一部飛び出すようにしても良い。
実施の形態においては薬品収納装置を示したが、本発明を他の収納物を収納する収納装置に適用することもできる。薬品の取り違えは重大な事故を引き起こしかねないので、本発明は、特に薬品収納装置に適している。
【００２８】
【発明の効果】
本発明によれば、収納物（例えば薬品）を収納する（又は取り出す）際に、その収納物を収納すべき（又は取り出すべき）引き出しを短時間で特定でき、誤った引き出しへの薬品の収納（又は取り出し）を防止できる収納装置を実現できるという効果が得られる。本発明によれば、安価な上記の収納装置を実現できるという効果が得られる。
【図面の簡単な説明】
【図１】本発明の実施の形態の薬品収納装置の構成を示す図
【図２】（ａ）は本発明の実施の形態の薬品収納装置のロック機構の構造の前面の外観図、（ｂ）は本発明の実施の形態の薬品収納装置のロック機構の構造の側面の外観図
【符号の説明】
１００  薬品収納装置
１０１  薬品収納体
１０２  引き出し
１０３  行ロック駆動部
１０４  列ロック駆動部
１０５  行表示部
１０６  列表示部
１０７  制御部
１０８  バーコードリーダ
１０９  薬品の容器
１１０  識別コード
２０１  行ロックスライド板
２０２  列ロックスライド板
２０３  行ロック穴
２０４  列ロック穴
２０５  引き出しロック棒
２０６  行スライド方向
２０７  列スライド方向
２０８  引き出し抜き方向
２０９  引き出しロック板
【図１】
2004256242.tif 000003
【図２】
2004256242.tif 000004